(57)【要約】【課題】  会話を行う２者が使用する情報通信装置の双方が、電話回線を介した通話ではなくインターネット回線等を介した音声データ通信が可能である場合に、より費用を要する通話ではなく、音声データ通信による会話を行わせるようにする。【解決手段】  情報通信装置は、電話回線を介して通話要求を受け付けた場合に、当該通話要求を行ってきた他の情報通信装置に対して、音声データ通信を行うために必要な情報を送信するとともに、音声データ通信を可能状態に移行させる。その後、通話要求を行ってきた他の情報通信装置から音声データ通信要求を受け付けると、音声データ通信による会話を開始させる。【選択図】  図８
2012253463.tif 000002
【特許請求の範囲】
【請求項１】
電話帳データを記憶する記憶手段を備え、電話回線及び無線通信回線を介して他の情報通信装置を通信可能な情報通信装置であって、
前記他の情報通信装置から、前記電話回線を介した通話要求を受け付ける第１の受付手段と、
前記第１の受付手段で受け付けた通話要求を行った他の情報通信装置に関する情報が前記記憶手段に記憶されている電話帳データに含まれるかを判定する判定手段と、
前記判定手段で記憶されていると判定した後に、前記無線通信回線を介して前記他の情報通信装置との音声データ通信の接続確立に使用される識別情報を、前記無線通信回線を介して送信する第１の送信手段と
を備えることを特徴とする情報通信装置。
【請求項２】
前記判定手段で前記第１の受付手段で受け付けた通話要求を行った他の情報通信装置に関する情報が前記記憶手段に記憶されている電話帳データに含まれると判定した場合に、前記他の情報通信装置に対する識別情報の送信指示を行うための画面を表示する表示手段と、
前記画面を介して前記識別情報の送信指示を受け付ける第２の受付手段を更に備え、
前記第１の送信手段は、前記第２の受付手段で識別情報の送信指示を受け付けた場合に、前記識別情報を前記他の情報通信装置に送信すること
を特徴とする請求項１に記載の情報通信装置。
【請求項３】
前記画面を介して、前記第１の受付手段で受け付けた通話要求に応じた通話の開始指示を受け付ける第３の受付手段と、
前記第３の受付手段で通話の開始指示を受け付けた後に、前記電話回線を介した通話処理を開始する開始手段と
を更に備えることを特徴とする請求項２に記載の情報通信装置。
【請求項４】
前記無線通信回線を介して前記他の情報通信装置と音声データの送受信を行う送受信手段を更に備えることを特徴とする請求項１乃至３のいずれか１項に記載の情報通信装置。
【請求項５】
前記他の情報通信装置に前記電話回線を介した通話要求を送信する第２の送信手段と、
前記通話要求に応じて他の情報通信装置より送信される識別番号を受信する受信手段と、
前記識別番号を用いて、前記無線通信回線を介して前記他の情報通信装置に対して音声データ通信の開始を要求する要求手段と
を更に備えることを特鋼とする請求項１乃至４のいずれか１項に記載の情報通信装置。
【請求項６】
電話帳データを記憶する記憶手段を備え、電話回線及び無線通信回線を介して他の情報通信装置を通信可能な情報通信装置によって行われる情報通信方法であって、
前記他の情報通信装置から、前記電話回線を介した通話要求を受け付ける第１の受付工程と、
前記第１の受付工程で受け付けた通話要求を行った他の情報通信装置に関する情報が前記記憶手段に記憶されている電話帳データに含まれるかを判定する判定工程と、
前記判定工程で記憶されていると判定した後に、前記無線通信回線を介して前記他の情報通信装置との音声データ通信の接続確立に使用される識別情報を、前記無線通信回線を介して送信する第１の送信工程と
を備えることを特徴とする情報通信方法。
【請求項７】
電話帳データを記憶する記憶手段を備え、電話回線及び無線通信回線を介して他の情報通信装置を通信可能な情報通信装置を、
前記他の情報通信装置から、前記電話回線を介した通話要求を受け付ける第１の受付手段と、
前記第１の受付手段で受け付けた通話要求を行った他の情報通信装置に関する情報が前記記憶手段に記憶されている電話帳データに含まれるかを判定する判定手段と、
前記判定手段で記憶されていると判定した後に、前記無線通信回線を介して前記他の情報通信装置との音声データ通信の接続確立に使用される識別情報を、前記無線通信回線を介して送信する第１の送信手段
として機能させることを特徴とするコンピュータプログラム。
【発明の詳細な説明】
【技術分野】
【０００１】
本発明は、音声に関する通信を行う情報通信装置、情報通信方法及びコンピュータプログラムに関する。
【背景技術】
【０００２】
現在、情報通信装置を用いて会話を行うために、電話を用いた通話以外にも、ＶＯＩＰ等のプロトコルを用いた音声データ通信を行うアプリケーションプログラムを用いた音声データ通信による会話を行うことが広まってきている。これらのアプリケーションプログラムを用いたインターネットを介した音声データ通信を用いるメリットとしては、例えば携帯電話等の電話回線を介した通話に要する通話料金と比較して、安価で済むということがあげられる。
【０００３】
しかし、通常の携帯電話とは異なり、音声データ通信を行うアプリケーションプログラムを用いて情報通信装置を用いて会話を行うためには、発信側、着信側ともに音声データ通信アプリケーションプログラムが起動している必要があり、どちらか一方の音声データ通信アプリケーションプログラムが起動していないと、音声データ通信を行うための通信を確立することができず、会話を行うことができない。
【０００４】
そこで、特許文献１には、遠隔から音声データ通信アプリケーションプログラムを起動させる発明が開示されている。
【先行技術文献】
【特許文献】
【０００５】
【特許文献１】特開２０１１−２９８９６号公報
【発明の概要】
【発明が解決しようとする課題】
【０００６】
しかし、特許文献１に開示されている発明では、音声データ通信を行う前に、その要求元の情報通信装置から要求先の要求の情報通信装置にインストールされている音声データアプリケーションプログラムを起動し、音声データの通信可能状態にしている。要求先側で当該アプリケーションを起動し、通信可能状態にすることについては何ら触れられていない。
【０００７】
情報通信装置を所有するユーザの意思にかかわらず、勝手に遠隔から音声データ通信アプリケーションプログラムが起動するよりも、遠隔装置からの何らかの要求に応じて要求先の情報通信装置を所有するユーザにより、インストールされているアプリケーションプログラムを起動する／しないについて決定することが望ましい。
【０００８】
例えばスマートフォンでは、音声データ通信アプリケーションプログラム以外にも、多くのアプリケーションプログラムがインストールされていることがほとんどである。情報通信装置上では、遠隔からの音声データ通信アプリケーションプログラムの起動指示を受けた際に、その他のアプリケーションプログラムによる処理が実行されている場合もあり、ユーザが意図しないアプリケーションプログラムの起動により、何らかの弊害が生じてしまう恐れがあるからである。
【０００９】
そこで、本発明は、情報通信装置からの通話要求がなされた場合に、その通話要求元側ではなく、要求先側の情報通信装置を所有するユーザにより、音声データ通信を行うか否かの決定する仕組みを提供するを目的とする。
【課題を解決するための手段】
【００１０】
上記した目的を達成するために、本発明の情報通信装置は、電話帳データを記憶する記憶手段を備え、電話回線及び無線通信回線を介して他の情報通信装置を通信可能な情報通信装置であって、前記他の情報通信装置から、前記電話回線を介した通話要求を受け付ける第１の受付手段と、前記第１の受付手段で受け付けた通話要求を行った他の情報通信装置に関する情報が前記記憶手段に記憶されている電話帳データに含まれるかを判定する判定手段と、前記判定手段で記憶されていると判定した後に、前記無線通信回線を介して前記他の情報通信装置との音声データ通信の接続確立に使用される識別情報を、前記無線通信回線を介して送信する第１の送信手段とを備えることを特徴とする。
【００１１】
上記した目的を達成するために、本発明の情報通信方法は、電話帳データを記憶する記憶手段を備え、電話回線及び無線通信回線を介して他の情報通信装置を通信可能な情報通信装置によって行われる情報通信方法であって、前記他の情報通信装置から、前記電話回線を介した通話要求を受け付ける第１の受付工程と、前記第１の受付工程で受け付けた通話要求を行った他の情報通信装置に関する情報が前記記憶手段に記憶されている電話帳データに含まれるかを判定する判定工程と、前記判定工程で記憶されていると判定した後に、前記無線通信回線を介して前記他の情報通信装置との音声データ通信の接続確立に使用される識別情報を、前記無線通信回線を介して送信する第１の送信工程とを備えることを特徴とする。
【００１２】
上記した目的を達成するために、本発明のコンピュータプログラムは、電話帳データを記憶する記憶手段を備え、電話回線及び無線通信回線を介して他の情報通信装置を通信可能な情報通信装置を、前記他の情報通信装置から、前記電話回線を介した通話要求を受け付ける第１の受付手段と、前記第１の受付手段で受け付けた通話要求を行った他の情報通信装置に関する情報が前記記憶手段に記憶されている電話帳データに含まれるかを判定する判定手段と、前記判定手段で記憶されていると判定した後に、前記無線通信回線を介して前記他の情報通信装置との音声データ通信の接続確立に使用される識別情報を、前記無線通信回線を介して送信する第１の送信手段として機能させることを特徴とする。
【発明の効果】
【００１３】
本発明によれば、情報通信装置からの通話要求がなされた場合に、その通話要求元側ではなく、要求先側の情報通信装置を所有するユーザにより、音声データ通信を行うか否かの決定する仕組みを提供することが可能となる。
【図面の簡単な説明】
【００１４】
【図１】本発明の情報通信システムの構成の一例を示すシステム構成図である。
【図２】図１の情報通信装置１０１のハードウェア構成の一例を示すブロック図である。
【図３】図１の情報通信装置１０１の機能構成の一例を示すブロック図である。
【図４】図１の情報通信装置１０１によって行われる処理の概要を示すフローチャートである。
【図５】図４のステップＳ４０４の音声データ通信開始要求処理の詳細を示すフローチャートである。
【図６】図４のステップＳ４０６の通話開始要求処理の詳細を示すフローチャートである。
【図７】図４のステップＳ４０８の接続要求（音声データ通信）受付処理の詳細を示すフローチャートである。
【図８】図４のステップＳ４１０の接続要求（通話）受付処理の詳細を示すフローチャートである。
【図９】情報通信装置１０１の表示部２０５に表示される接続要求（通話）受付通知画面の一例を示す図である。
【図１０】情報通信装置１０１の表示部２０５に表示される識別番号受付通知画面の一例を示す図である。
【図１１】電話帳データのデータ構成の一例を示す図である。
【発明を実施するための形態】
【００１５】
以下、図面を参照して、本発明の実施の形態の一例について説明する。
【００１６】
図１は、本発明の情報通信システムの構成の一例を示すシステム構成図である。図に示すように、本発明の情報処理システムは、情報通信装置１０１−１、１０１−２（以下、まとめて情報通信装置１０１とする）、情報処理通信装置１０１を音声通話可能に接続する携帯電話通信網１０２、情報処理通信装置１０１を音声データ通信可能に接続する無線通信網１０３等を備えて構成されている。尚、情報通信装置１０１は、スマートフォン等であり、他の情報通信装置１０１と音声通話や音声データ通信が可能である。
【００１７】
次に、図２を参照して、図１の情報通信装置１０１のハードウェア構成の一例について説明する。図２に示すように、情報通信装置１０１は、制御部２０１、記憶部２０２、通話制御部２０３、データ通信制御部２０４、表示部２０５、入力部２０６を備えている。
【００１８】
制御部２０１は、システムバス２０７に接続される各デバイス等統括的に制御する。また、メモリ２０２は、制御プログラムであるＢＩＯＳやオペレーティングシステムプログラム（以下、ＯＳ）や、情報通信装置１０１に後述する各種の処理を実行させるために必要な各種プログラムやデータ等が記憶されている。また、記憶部２０２は、制御部２０１の主メモリ、ワークエリア等として機能する。
【００１９】
通話制御部２０３は、携帯電話通信網１０２を介して他の情報通信装置１０１と通話処理の通信制御処理を実行する。データ通信制御部２０４は、無線通信網１０３を介して他の情報通信装置１０１との音声データ通信処理や、不図示のサーバ装置にアクセスし、当該サーバが提供するホームページを閲覧するためのデータ通信処理の通信制御処理を実行する。
【００２０】
表示部２０５は、各種の情報を表示するための表示部である。入力部２０６は、情報通信装置１０１を使用するユーザから各種の入力を受け付ける。表示部２０５、入力部２０６は、タッチパネルシートが貼られているＬＣＤ（Ｌｉｑｕｉｄ  Ｃｒｙｓｔａｌ  Ｄｉｓｐｌａｙ）表示部で構成されており、操作画面を表示するとともに、表示した操作画面のキー（ボタン）が押されると、その位置情報が制御部２０１に伝えられる。また、入力部は各種の操作ボタンで構成されていても構わない。尚、情報通信装置１０１が後述する各種の処理を実行可能であれば、図２に示すハードウェア構成でなくとも構わないことは言うまでもない。以上が、図１の情報通信装置１０１のハードウェア構成の一例の説明である。
【００２１】
次に、図３を参照して、図１の情報通信装置１０１の機能構成について説明する。通話部３０１は、他の情報通信装置１０１との通話を行うための機能部である。データ通信部は、他の情報通信装置１０１との音声データ通信を行うための機能部である。
【００２２】
アプリケーション起動部３０３は、ユーザからのアプリケーション起動指示を受け付けた場合などに、指定されたアプリケーションプログラムを起動する機能部である。判定部３０４は、情報通信装置１０１によって行われる後述する処理で、各種の判定を行う機能部である。
【００２３】
データ記憶部３０５は、他の情報通信装置１０１の電話番号や音声データ通信を行う際に必要となる識別情報が登録された電話帳データを記憶する電話帳記憶部３０５−１や、音声データ通信を行うための音声データ通信アプリケーション（音声データ通信ＡＰ）等を記憶するアプリケーション記憶部３０５−２等を備える、各種の情報を記憶するための機能部である。尚、電話帳データのデータ構成については、図１１を参照して説明することにする。以上が図１の情報通信装置１０１の機能構成の説明である。
【００２４】
ここで、図１１を参照して、図３の電話帳記憶部３０５−１に記憶されている電話帳データのデータ構成の一例について説明する。
【００２５】
図１１に示す通り、電話帳データは、ＩＤ１１０１、電話番号１１０２、識別番号１１０３、氏名１１０４、等を備えて構成されている。
【００２６】
ＩＤ１１０１は、登録されている電話帳データを一意に特定するための識別情報を登録するためのデータ項目である。氏名１１０２は、電話番号１１０２は、携帯電話通信網１０２を用いた通話を行う際に用いられる情報通信装置の電話番号を登録するためのデータ項目である。識別番号１１０３は、無線通信網１０３を用いた通話を行う際に用いられる情報通信装置の識別番号を登録するためのデータ項目である。氏名１１０４は、電話番号１１０２や識別番号１１０３で特定されることになる情報通信装置を所有するユーザの指名情報等を登録するデータ項目である。
【００２７】
尚、電話帳データは上記以外に、電子アドレスデータや住所情報等を備えるものであってももちろん構わない。以上が電話帳データのデータ構成の一例の説明である。
【００２８】
次に、図４を参照して、本発明の情報通信装置１０１によって行われる処理の概要について説明する。本処理を実行するためのアプリケーションプログラムは記憶部２０２に記憶されており、必要に応じて制御部２０１は当該アプリケーションプログラムを実行し、実行したアプリケーションプログラムによる制御に従って、本処理を行うことになる。
【００２９】
制御部２０１は、入力部２０６を介して音声データ通信ＡＰの起動指示を受け付けると（ステップＳ４０１でＹＥＳ）、処理をステップＳ４０２に進め、アプリケーション記憶部３０５−２に記憶されている音声データ通信ＡＰを起動する。
【００３０】
また、制御部２０１は、入力部２０６を介して音声データ通信開始指示を受け付けると（ステップＳ４０３でＹＥＳ）、処理をステップＳ４０４に進め、音声データ通信開始要求処理を行う。この処理の詳細については、図５を参照して後述する。
【００３１】
また、制御部２０１は、入力部２０６を介して通話開始指示を受け付けると（ステップＳ４０５でＹＥＳ）、処理をステップＳ４０６に進め、通話開始要求処理を行う。この処理の詳細については、図６を参照して後述することにする。
【００３２】
また、制御部２０１は、他の情報通信装置１０１からの音声データ通信の接続要求を音声データ通信部２０４が受け付けた場合に（ステップＳ４０７でＹＥＳ）、処理をステップＳ４０８に進め、接続要求受付処理（音声データ通信）受付処理を行う。この処理の詳細については、図７を参照して後述することにする。
【００３３】
また、制御部２０１は、他の情報通信装置１０１からの接続要求（通話）を通話制御部２０３が受け付けた場合に（ステップＳ４０９でＹＥＳ）、処理をステップＳ４１０に進め、接続要求（通話）受付処理を行う。この処理の詳細については、図８を参照して説明することにする。
【００３４】
また、制御部２０１は、各種の設定変更処理を受け付けると（ステップＳ４１１でＹＥＳ）、処理をステップＳ４１２に進め、設定変更処理を行う。設定変更処理では、例えば、電話帳の登録情報の変更や、他の情報通信装置から接続要求（通話）を受け付けた際に、音声データ通信に切り替えるための処理を実行するかについての設定を行う。
【００３５】
また、制御部２０１は、音声データ通信ＡＰの終了指示を受け付けると（ステップＳ４１３でＹＥＳ）、処理をステップＳ４１４に進め、音声データ通信ＡＰを終了する。
【００３６】
また、制御部２０１は、入力部２０６等を介したユーザからの指示などにより、その他の処理の実行要求を受け付けると（ステップＳ４１５でＹＥＳ）、指定された処理を実行する（ステップＳ４１６）。
【００３７】
以上の処理を、入力部２０６を介してユーザからの終了指示を受け付けた（ステップＳ４１７でＹＥＳ）と判定するまで繰り返し実行することになる。以上が情報通信装置１０１によって行われる処理の概要である。
【００３８】
以下、図５〜図８を参照して、図４のステップＳ４０４の音声データ通信開始要求処理、ステップＳ４０６の通話開始要求処理、ステップＳ４０８の接続要求（音声データ通信）受付処理、ステップＳ４１０の接続要求（通話）受付処理の詳細について説明する。ここでは、情報通信装置１０１−１と情報通信装置１０１−２との通信を例に説明する。
【００３９】
この場合、情報通信装置１０１−１による音声データ通信開始処理（図４のステップＳ４０４）に応じて情報通信装置１０１−２による接続要求（音声データ通信）受付処理が、情報通信装置１０１−１による通話開始要求処理（図４のステップＳ４０６）に応じて情報通信装置１０１−２による接続要求（通話）受付処理が行われることになる。
【００４０】
まず、図５を参照して、図４のステップＳ４０４の音声データ通信開始要求処理の詳細について説明する。この処理は情報通信装置１０１−１の制御部２０１により行われ、その接続先が情報通信装置１０１−２であるものとして説明する。
【００４１】
まず、情報通信装置１０１−１の制御部２０１は、音声データ通信開始指示を受け付けると（図４のステップＳ４０３でＹＥＳ）、接続先となる情報通信装置１０１−２の音声データ通信ＡＰの識別番号の入力を受け付ける（ステップＳ５０１）。この識別番号は、通話処理における電話番号のようなものであり、この識別番号により、いずれの情報通信装置１０１−２との音声データ通信を行うのかが特定されることになる。その後、ステップＳ５０１で入力を受け付けた識別番号で特定される情報通信装置１０１−２に対して接続要求を送信する（ステップＳ５０２）。この接続要求のためのデータは、データ通信部２０４によって、無線通信網１０３を介して情報通信装置１０１−２に対して送信される。
【００４２】
ステップＳ５０２で他の情報通信装置１０１−２に対して接続要求を送信後、情報通信装置１０１−１の制御部２０１は、接続が確立するまで待機する（接続待ち：ステップＳ５０３）。そして、接続が確立したら（ステップＳ５０４でＹＥＳ）、接続が確立された情報通信装置１０１−２との間での音声データ通信処理を行うことになる（ステップＳ５０５）。この音声データのやり取りを行うことで、無線通信網１０３を介して、通話の際と同様に相手との会話をすることができる。
【００４３】
そして、情報通信装置１０１−１を操作するユーザからの入力部２０６を介した終了指示や、情報通信装置１０１−２からの音声データ通信の終了通知を受け付けた場合（ステップＳ５０６の「終了指示受付」でＹＥＳ）、音声データ通信の終了のために通信の切断処理を行う（ステップＳ５０７）。そして、本処理を終了する。
【００４４】
また、ステップＳ５０４で、情報通信装置１０１−２との音声データ通信のための接続が確立したと判定される前に（ステップＳ５０４でＮＯ）、情報通信装置１０１−１を操作するユーザによる操作指示によって接続要求の中止指示を受け付けた場合には（ステップＳ５０８）、情報通信装置１０１−２に対する接続要求を中止し、本処理を終了することになる。以上が図４のステップＳ４０４の音声データ通信開始要求処理の詳細な説明である。
【００４５】
次に、図６を参照して、図４のステップＳ４０６の通話開始要求処理の詳細について説明する。この処理は情報通信装置１０１−１の制御部２０１により行われ、その接続先が情報通信装置１０１−２であるものとして説明する。
【００４６】
まず、情報通信装置１０１−２の制御部２０１は、ユーザの入力部２０６を介した操作指示により通話開始指示を受け付けると（ステップＳ４０５でＹＥＳ）、電話番号の入力受付を行う（ステップＳ６０１）。そして、指定された電話番号が設定された情報通信装置１０１−２に対して接続要求（通話）を行う（ステップＳ６０２）。
【００４７】
その後、情報通信装置１０１−２との通話のための通信の接続確立の待ち状態に移行する（接続待ち：ステップＳ６０３）。その後、ステップＳ６０４で接続が確立した（ＹＥＳ）と判定した場合には、処理をステップＳ６０５に進め、情報通信装置１０１−２との通話処理を開始する。その後、情報通信装置１０１−１を操作するユーザからの入力部２０６を介した終了指示や、情報通信装置１０１−２からの音声データ通信の終了通知を受け付けると（ステップＳ６０６でＹＥＳ）、本処理を終了する。
【００４８】
また、接続要求（通話）の要求先である情報通信装置１０１−２から音声データ通信ＡＰの識別番号を受信した場合には（ステップＳ６０７でＹＥＳ）、図９に示す識別番号受付通知画面を表示部２０５に表示する（ステップＳ６０８）。
【００４９】
本発明では、接続要求（通話）の受信側（つまりは情報通信装置１０１−２）が、通話ではなく音声データ通信を行うような選択をした場合に、音声データ通信の接続確立に必要となる受信側の音声データ通信ＡＰの識別番号を、接続要求の送信側（つまりは情報通信装置１０１−１）に送信することになる。これにより、双方が音声データ通信を行うことが可能な場合には、費用がより掛かる通話ではなく、より安く済む音声データ通信での会話を行うことが可能となる。
【００５０】
ここで、ステップＳ６０８で表示部２０５に表示される識別番号受付通知画面の構成について説明する。図１０は、識別番号受付通知画面１０００の構成の一例を示す図である。
【００５１】
図１０に示すように、識別番号受付通知画面１０００は、メッセージ表示部１００１、音声データ通信開始指示ボタン１００２、キャンセルボタン１００３を備えて構成されている。
【００５２】
メッセージ表示部１００１は、識別番号を受け付けた旨の通知を表示するためのメッセージを表示する表示領域であり、情報通信装置１０１−２より受信した識別番号もあわせて表示される。登録ボタン１００１−１は、識別番号を電話帳に登録するために用いられるボタンである。このボタンが押された場合に、ステップＳ６０１で入力を受け付けた電話番号に関する電話帳データがすでに電話帳記憶部３０５−１に登録されている場合には、そのデータの識別番号１１０３に受信した識別番号を登録することになる。
【００５３】
一方、ステップＳ６０１で入力を受け付けた電話番号に関する情報が電話帳に登録されていない場合には、不図示の電話帳データ入力画面を表示し、電話帳情報の入力を受け付ける。その際に、新たに作成する電話帳データの電話番号１１０２にはステップＳ６０１で入力を受け付けた電話番号が、識別番号１１０３には情報通信装置１０１−２から受信した識別番号が登録されることになる。
【００５４】
音声データ通信開始ボタン１００２は、情報通信装置１０１−２に対して接続要求（音声データ通信）を行うために用いられるボタンである。その際には受信した情報通信装置１０１−２より受信した識別番号を用いて音声データ通信開始要求処理を行うことになる。
【００５５】
キャンセルボタン１００３は、本画面の表示させるために用いられるボタンである。以上が、図１０の識別番号受付通知画面１０００の説明である。
【００５６】
図６の説明に戻る。ステップＳ６０８で表示した識別番号受付通知画面１０００の音声データ通信開始ボタン１００２に対する押下指示を受け付けることにより入力される音声データ通信開始指示を受け付けたと判定した場合には（音声データ通信開始要求を行う？：ステップ６０９でＹＥＳ）、情報通信装置１０１−１の制御部１０２は処理をステップＳ６１０に進め、すでに音声データ通信ＡＰが起動されているかを判定する。そして、音声データ通信ＡＰが起動されていないと判定した場合には、音声データ通信ＡＰを起動する（ステップＳ６１１）。その後、図５に示す音声データ通信開始要求処理を実行することになる（ステップＳ６１２）。
【００５７】
また、ステップＳ６０１で指定した電話番号で特定される情報通信装置１０１−２との確立前に接続要求の中止指示を入力部２０６を介して受け付けると、つまりは、相手側の応答待ち状態で接続要求の中止指示を受け付けたと判定した場合には（ステップＳ６１３でＹＥＳ）、本処理を終了する。以上が図４のステップＳ４０６の通話開始要求処理の詳細な説明である。
【００５８】
次に、図７を参照して、図４のステップＳ４０８の接続要求（音声データ通信）受付処理の詳細について説明する。この処理は、情報通信装置１０１−１によって行われる音声データ通信開始要求処理の過程で（図５のステップＳ５０２で）送信される音声データ通信の接続要求を受け付けた情報通信装置１０１−２で行われる処理である。
【００５９】
情報通信装置１０１−２の制御部２０１は、情報通信装置１０１−１より接続要求（音声データ通信）を受信すると（図４のステップＳ４０７でＹＥＳ）、音声データ通信ＡＰが起動されているかを判定する（ステップＳ７０１）。音声データ通信ＡＰが起動されていない（ステップＳ７０１でＮＯ）と判定した場合には本図に示す処理を終了する。
【００６０】
一方、ステップＳ７０１の判定処理で、音声データ通信ＡＰが起動されている（ＹＥＳ）と情報通信装置１０１−２の制御部２０１が判定した場合には、不図示の接続要求受付画面（音声データ通信）を表示する（ステップＳ７０２）とともに、着信音を鳴らすなどし、ユーザに対して情報通信装置１０１−１より接続要求（音声データ通信）を受け付けていることを報知する（ステップＳ７０３）。
【００６１】
その後、情報通信装置１０１−２を操作するユーザの入力部２０６を介した操作指示により、接続開始指示を受け付けたかを判定する（ステップＳ７０４）。接続開始指示を受け付けていない（ＮＯ）と判定した場合には、処理をステップＳ７１２に進め、情報通信装置１０１−１からの接続要求（音声データ通信）が終了したかを判定する。この判定処理でＹＥＳと判定した場合には、即ち、情報通信装置１０１−２側で除法通信装置１０１−２からの接続要求（音声データ通信）に対する応答をする前に、情報通信装置１０１−１で入力部２０６を介した接続要求の終了指示が入力された場合には（ステップＳ７１２でＹＥＳ）、本処理を終了する。接続要求（音声データ通信）が終了していない（ステップＳ７１２でＮＯ）と判定した場合には、処理をステップＳ７０４に戻す。
【００６２】
一方、ステップＳ７０４の判定処理で接続開始指示を受け付けた（ＹＥＳ）と判断した場合には処理をステップＳ７０５に進め、情報通信装置１０１−２に対して接続要求（音声データ通信）を行った情報通信装置１０１−１との接続を確立し、その後、会話を行うために音声データ通信を開始する（ステップＳ７０６）。
【００６３】
その後、情報通信装置１０１−２を操作するユーザからの音声データ通信終了指示、または、接続相手である情報通信装置１０１−１から音声データ通信終了の通知を受け付けると（ステップＳ７０８でＹＥＳ）、音声データ通信のための通信の切断処理を行う（ステップＳ７０８）。
【００６４】
その後、音声データ通信の要求元である情報通信装置１０１−１の音声データ通信のための音声データ通信ＡＰの接続番号の登録要求を受け付けた場合には（ステップＳ７０９でＹＥＳ）、処理をステップＳ７１０に進め、電話帳記憶部３０５−１に記憶されている電話帳データに識別番号を登録する。その際には、すでに電話帳データに登録されているいずれかのデータの識別番号への上書き処理を行うか、それとも新規の電話帳データの作成処理を行うかの指定を受け付け、その指定に従って登録処理を行うことになる。以上が図４のステップＳ４０８の接続要求（音声データ通信）受付処理の詳細な説明である。
【００６５】
次に、図８を参照して、図４のステップＳ４１０の接続要求（通話）受付処理の詳細について説明する。この処理は、情報通信装置１０１−１によって行われる通話開始要求処理の過程で（図６のステップＳ６０２で）送信される通話のための接続要求を受け付けた情報通信装置１０１−２で行われる処理である。
【００６６】
情報通信装置１０１−２の制御部２０１は、接続要求（通話）を受信すると（図４のステップＳ４０９でＹＥＳ）、接続要求とともに情報通信装置１０１−２に通知される接続要求を行った情報通信装置１０１−１の電話番号が電話帳データに登録されているかを判定する（ステップＳ８０１）。この判定処理でＮＯと判定した場合には、処理をステップＳ８０９に進める。
【００６７】
一方、情報通信装置１０１−２の制御部２０１がステップＳ８０１の判定処理でＹＥＳと判定した場合には、処理をステップＳ８０２に進め、当該電話番号が電話番号１１０２に登録されている電話帳データに音声データ通信を行う際に用いられる識別番号１１０３が登録されているかを判定する（ステップＳ８０２）。この判定処理は、接続要求（通話）を行ってきた情報通信装置が、一般の加入電話や、携帯電話のように、音声データ通信ＡＰをインストールして実行できない情報通信装置であるか、それともスマートフォンに代表される音声データ通信ＡＰをインストールし実行可能な情報通信装置であるかを判定するために行っている。この判定処理で制御部２０１がＮＯと判定した場合には、処理をステップＳ８０９に進める。
【００６８】
ステップＳ８０２の判定処理で、制御部２０１がＹＥＳと判定した場合には、接続要求受付画面（通話）を表示する（ステップＳ８０３）とともに、着信音を鳴らすなどし、ユーザに情報通信装置１０１−１から接続要求（音声データ通信）を受け付けていることを報知する（ステップＳ８０４）。
【００６９】
ステップＳ８０１、ステップＳ８０２のいずれかの判定処理でＮＯと判定した場合には、不図示の通話開始要求受付画面を表示部２０５に表示する（ステップＳ８０９）とともに、着信音を鳴らすなどし、ユーザに通話開始要求を受け付けていることを報知する（ステップＳ８１０）。
【００７０】
ここで、図９を参照してステップＳ８０３で表示される接続要求受付画面（通話）の構成の一例について説明する。図９に示す通り、接続要求受付画面（通話）９００は、メッセージ表示部９０１、通話開始ボタン９０２、識別情報送信ボタン９０３を備えて構成されている。
【００７１】
メッセージ表示部９０１は、接続要求（通話）を受信した際に取得した、当該接続要求（通話）を行った情報通信装置１０１−１の電話番号情報を検索キーにして電話帳データ記憶部３０５−１から取得した電話帳データに登録されている氏名１１０４、電話番号１１０２等を表示し、誰が所有する情報通信装置１０１−１からの接続要求（通話）がなされたかを情報通信装置１０１−２を所有するユーザに通知するための表示部である。また、取得した電話帳データに識別番号が登録されている場合には、その旨の通知も併せて行われることになる。
【００７２】
通話開始ボタン９０２は、通話開始指示を制御部２０１に対して入力するために用いられるボタンである。識別番号送信ボタン９０３は、情報通信装置１０１−２の識別番号の送信指示を制御部２０１に対して入力するために用いられるボタンである。以上が、接続要求（通話）受付画面９００の構成の一例の説明である。
【００７３】
図８の説明に戻る。ステップＳ８０３で表示された接続要求（通話）受付画面９００中の識別番号送信ボタン９０３に対する押下指示を受け付けることにより入力される識別番号送信指示を受け付けると（ステップＳ８０５でＹＥＳ）、音声データ通信ＡＰが起動済みであるかを判定する（ステップＳ８０６）。
【００７４】
ステップＳ８０６の判定処理でＮＯと判定した場合には、情報通信装置１０１−２の制御部２０１は、アプリケーション記憶部３０５−２に記憶されている音声データ通信ＡＰを起動する（ステップＳ８０７）。ステップＳ８０７で音声データ通信ＡＰが正常に起動した後、またはステップＳ８０６の判定処理でＮＯと判定した場合には、処理をステップＳ８０８に進め、情報通信装置１０１−２の音声データ通信ＡＰの識別番号を、接続要求（通話）を行ってきた情報通信装置１０１−１に送信することになる。この際、無線通信網を介して識別番号を送信することになる。そして、本処理を終了することになる。
【００７５】
この音声データ通信ＡＰの識別番号を受信した情報通信装置１０１−１の制御部２０１は、図６のステップＳ６０７でＹＥＳと判定することになり、その表示部２０５に図１０に示す識別番号受付通知画面１０００を表示することになる。
【００７６】
また、図８のステップＳ８０５でＮＯと判定した場合には、接続要求（通話）受付画面９００中の通話開始ボタン９０２や、不図示の通話開始要求受付画面に設定された通話開始ボタン等に対する押下指示を受け付けることで入力される通話開始指示を受け付けたかを判定する（ステップＳ８１１）。
【００７７】
ステップＳ８１１の判定処理で通話開始指示を受け付けた（ＹＥＳ）と判定した場合、処理をステップＳ８１２に進め、接続要求を行ってきた情報通信装置１０１−１との接続を確立し、通話処理を開始する。この時、情報通信装置１０１−１の制御部２０１は接続が確立したと判定し（図６のステップＳ６０４）、情報通信装置１０１−２との通話処理を開始することになる（図６のステップＳ６０５）。情報通信装置１０１−２の制御部２０１は、入力部２０６を介してユーザからの通話終了指示、または情報送信装置１０１−１からの通話終了通知を受け付けるまで（ステップＳ８１３でＹＥＳと判定するまで）、通話処理を行うことになる。ステップＳ８１３でＹＥＳと判定した場合には、本処理を終了する。
【００７８】
ステップＳ８１１の判定処理で通話開始指示を受け付けていない（ＮＯ）と制御部２０１が判定した場合には、処理をステップＳ８１４に進め、情報通信装置１０１−１からの接続要求が終了したかを判定する。まだ接続要求が継続していると判定した場合には、処理をステップＳ８１５に進め、入力部に接続要求（通話）受付画面９００が表示されているかを判定する。ステップＳ８１５でＹＥＳと判定した場合に、処理をステップＳ８０５に、ＮＯと判定した場合には処理をステップＳ８１１に進め、それ以降の処理を継続する。
【００７９】
ステップＳ８１４の判定処理でＹＥＳと判定した場合には、本処理を終了する。以上が図４のステップＳ４１０の接続要求（通話）受付処理の詳細な説明である。
【００８０】
尚、情報通信装置１０１−２が無線通信回線１０３を介しての音声データ通信が行えない状態にある場合には、電話帳に接続要求（通話）を行ってきた情報通信装置に関する情報が記録されている場合であっても、接続要求（通話）受付画面９００を表示させず、不図示の通話開始要求受付画面を表示するような構成にしてももちろん構わない。
【００８１】
尚、本発明の説明をするうえで、情報通信装置１０１−１を発信側、情報通信装置１０１−２を受信側として説明したが、情報通信装置１０１−２が発信側、情報通信装置１０１−１が受信側になることも可能であることは言うまでもない。
【００８２】
本発明では、以上のような構成を備えることで、電話回線を介した接続要求（通話）があった場合に、受信側が音声データ通信での会話を望む場合には、その識別番号を接続要求を送信した発信側に通知するとともに、音声データ通信ＡＰを起動させることにより、発信側からの音声データ通信要求に備えることを可能としている。これにより、情報通信装置を用いた会話を行う際に発生する費用の抑制ができる等の作用効果を奏する。
【００８３】
以上、本発明の実施形態について詳述したが、本発明は、複数の機器から構成されるシステムに適用しても良いし、また、一つの機器からなる装置に適用しても良い。
【００８４】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００８５】
その場合、プログラムの機能を有していれば、オブジェクトコード、インタプリタにより実行されるプログラム、ＯＳに供給するスクリプトデータ等、プログラムの形態を問わない。
【００８６】
プログラムを供給するための記録媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【００８７】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００８８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【００８９】
１０１−１、１０１−２  情報通信装置
１０２  携帯電話通信網
１０３  無線通信網
２０１  制御部
２０２  記憶部
２０３  通話制御部
２０４  データ通信制御部
２０５  表示部
２０６  入力部
【図１】
2012253463.tif 000003
【図２】
2012253463.tif 000004
【図３】
2012253463.tif 000005
【図４】
2012253463.tif 000006
【図５】
2012253463.tif 000007
【図６】
2012253463.tif 000008
【図７】
2012253463.tif 000009
【図８】
2012253463.tif 000010
【図９】
2012253463.tif 000011
【図１０】
2012253463.tif 000012
【図１１】
2012253463.tif 000013